(57)【要約】【課題】隣り合うＬＥＤ・発光素子の特性がほぼ同一になってばらつきが発生しない発光ダイオード及び発光素子の配列方法及び配列装置を提供すること。【解決手段】測定の済んだ発光素子８は、仮置き用パレット２５に測定順に仮の番号（１），…を付して順番に並べていく。これと並行して、測定された光度のデータ２６が仮の番号（１），…と組にされてコンピュータシステム２７に入力される。コンピュータシステム２７の中では、隣り合う発光素子８がほぼ同一の光度を有するように、測定された光度のデータ２６を一定のアルゴリズムにしたがって並べなおし、メモリ上で仮の番号（１），…が、並べなおされたデータ２６にしたがって再配列され、この再配列されたデータがコンピュータシステム２７からロボット２８に送信されて、仮置き用パレット２５上の発光素子８がテーピング３０の上に配列されていく。【選択図】　　　　図３
2004047620.tif 000002
【特許請求の範囲】
【請求項１】
発光ダイオードの必要とする特性値の特性測定を行って測定された特性値を各発光ダイオードごとに記憶する工程と、
前記特性値を記憶した発光ダイオードを一時的に保管する工程と、
必要数の発光ダイオードがそろった時点で隣り合う発光ダイオードごとに前記要求される特性値がほぼ同一となるように前記必要数の発光ダイオードを配列しなおす工程と
を具備することを特徴とする発光ダイオードの配列方法。
【請求項２】
一方の発光ダイオードの特性値より他方の発光ダイオードの特性値の方が大きいように並べることを特徴とする請求項１に記載の発光ダイオードの配列方法。
【請求項３】
発光素子の必要とする特性値の特性測定を行って測定された特性値を各発光素子ごとに記憶する工程と、
前記特性値を記憶した発光素子を一時的に保管する工程と、
必要数の発光素子がそろった時点で隣り合う発光素子ごとに前記要求される特性値がほぼ同一となるように前記必要数の発光素子を配列しなおす工程と
を具備することを特徴とする発光素子の配列方法。
【請求項４】
一方の発光素子の特性値より他方の発光素子の特性値の方が大きいように並べることを特徴とする請求項３に記載の発光素子の配列方法。
【請求項５】
発光ダイオードの必要とする特性値の特性測定を行う特性値測定手段と、
特性測定を行った前記発光ダイオードを測定順に番号を付して一時保管する一時保管手段と、
前記発光ダイオードの前記特性値を前記発光ダイオードの前記番号と対応させて記憶する特性値記憶手段と、
それぞれ隣り合う前記発光ダイオードの前記特性値の差が全体を通じて最も小さくなるように前記発光ダイオードの配列順をコンピュータ上で組み直す配列順算出手段と、
該配列順算出手段で組み直された配列順にしたがって、前記一時保管手段から正式の供給手段へ前記発光ダイオードを移動させて配列する移動配列手段と
を具備することを特徴とする発光ダイオードの配列装置。
【請求項６】
一方の発光ダイオードの特性値より他方の発光ダイオードの特性値の方が大きいように並べることを特徴とする請求項５に記載の発光ダイオードの配列装置。
【請求項７】
発光素子の必要とする特性値の特性測定を行う特性値測定手段と、
特性測定を行った前記発光素子を測定順に番号を付して一時保管する一時保管手段と、
前記発光素子の前記特性値を前記発光素子の前記番号と対応させて記憶する特性値記憶手段と、
それぞれ隣り合う前記発光素子の前記特性値の差が全体を通じて最も小さくなるように前記発光素子の配列順を組み直す配列順算出手段と、
該配列順算出手段で組み直された配列順にしたがって、前記一時保管手段から正式の供給手段へ前記発光素子を移動させて配列する移動配列手段と
を具備することを特徴とする発光素子の配列装置。
【請求項８】
一方の発光素子の特性値より他方の発光素子の特性値の方が大きいように並べることを特徴とする請求項７に記載の発光素子の配列装置。
【発明の詳細な説明】
【０００１】
【発明の属する技術分野】
本発明は、ディスプレイ等において隣り合う発光ダイオードまたは発光素子の特性を揃えて供給するための配列方法及び配列装置に関するものである。
【０００２】
なお、本明細書中においては、ＬＥＤチップそのものは「発光素子」と呼び、ＬＥＤチップを搭載したパッケージ樹脂またはレンズ系等の光学装置を含む全体を「発光ダイオード」または「ＬＥＤ」と呼ぶこととする。
【０００３】
【従来の技術】
製造されたＬＥＤは１度特性検査をした後、検査順あるいはランダムに並べて、客先に供給されていた。供給の方法としては、例えば図４に示されるようなテーピングがある。これは、特性検査の結果をある特性（例えば、光度）について何段階かにランク分けして、同一ランクのＬＥＤ１１を発光部１３から伸びたリード１２において１本のダンボールテープ１４の上に載置して、上から１本の粘着テープ１５を貼り付けて固定するものである。ランク分けとは、発光素子・ＬＥＤのある特性値についてある幅に分類するものである。
【０００４】
また、発光素子の段階でも同様なことが行なわれる。即ち、図５に示されるような複数の整列した凹部１７を有するパレット１６に、発光素子の特性検査の結果同一ランクとなった発光素子１８を収容していく。
【０００５】
【発明が解決しようとする課題】
しかしながら、これらのランク分けはかなり幅が広いため、光度が同じランクのＬＥＤを複数個並べて使用した場合、ランクの中の高い光度のＬＥＤとランクの中の低い光度のＬＥＤが隣り合って並び、光度にばらつきが出るという不具合が生ずることがある。このような場合には、明るい方のＬＥＤに抵抗を入れて光度を釣り合わせなければならず、非常に手間がかかる。同じようなことが、順電圧、発光波長等の特性値についても起こり、同一ランクのＬＥＤまたは発光素子を並べて使用しても隣り合うＬＥＤ・発光素子の特性にばらつきが発生し、異なる発光をして見た目が不均一になるという問題点があった。
【０００６】
そこで、本発明は、隣り合うＬＥＤ・発光素子の特性がほぼ同一になってばらつきが発生しない発光ダイオード及び発光素子の配列方法及び配列装置の提供を課題とするものである。なお、本発明では、製造された無選別の発光素子・ＬＥＤを配列する場合と、予めランク分けした発光素子・ＬＥＤを配列する場合とがある。
【０００７】
【課題を解決するための手段】
請求項１の発明にかかる発光ダイオードの配列方法は、発光ダイオードの必要とする特性値の特性測定を行って測定された特性値を各発光ダイオードごとに記憶する工程と、前記特性値を記憶した発光ダイオードを一時的に保管する工程と、必要数の発光ダイオードがそろった時点で隣り合う発光ダイオードごとに前記要求される特性値がほぼ同一となるように前記必要数の発光ダイオードを配列しなおす工程とを具備するものである。
【０００８】
これによって、光度・順電圧・発光波長等の特性の中で均一にする必要のある特性値について特性測定を行った発光素子の特性値が各発光素子について全て記憶されているので、一時的に保管し、必要数の発光ダイオードがそろった時点で隣り合う発光ダイオードの前記特性値がほぼ同一となるように配列しなおされる。
【０００９】
これによって、客先や次工程において発光ダイオードを使用する際には、配列された順にしたがって使用していけば、特性値がほぼ同一になるように並べられているので、隣り合う発光ダイオードの光り方が均一となり、ばらつくことがない。
【００１０】
このようにして、隣り合う発光ダイオードの特性がほぼ同一になってばらつきが発生しない発光ダイオードの配列方法となる。
【００１１】
請求項２の発明にかかる発光ダイオードの配列方法は、請求項１の構成において、一方の発光ダイオードの特性値より他方の発光ダイオードの特性値の方が大きいように並べるものである。
【００１２】
これによって、特性値の最も小さいものから最も大きいものまで順に並べられることになり、各隣り合う発光ダイオードの特性値の差が全体として最小となる。このようにして、隣り合う発光ダイオードの特性がほぼ同一になってばらつきが発生しない発光ダイオードの配列方法となる。
【００１３】
請求項３の発明にかかる発光素子の配列方法は、発光素子の必要とする特性値の特性測定を行って測定された特性値を各発光素子ごとに記憶する工程と、前記特性値を記憶した発光素子を一時的に保管する工程と、必要数の発光素子がそろった時点で隣り合う発光素子ごとに前記要求される特性値がほぼ同一となるように前記必要数の発光素子を配列しなおす工程とを具備するものである。
【００１４】
これによって、光度・順電圧・発光波長等の特性の中で均一にする必要のある特性値について特性測定を行った発光素子の特性値が各発光素子について全て記憶されているので、一時的に保管し、必要数の発光素子がそろった時点で隣り合う発光素子の前記特性値がほぼ同一となるように配列しなおされる。
【００１５】
これによって、客先や次工程において発光素子を使用する際には、配列された順にしたがって使用していけば、特性値がほぼ同一になるように並べられているので、隣り合う発光素子の光り方が均一となり、ばらつくことがない。
【００１６】
このようにして、隣り合う発光素子の特性がほぼ同一になってばらつきが発生しない発光素子の配列方法となる。
【００１７】
請求項４の発明にかかる発光素子の配列方法は、請求項３の構成において、一方の発光素子の特性値より他方の発光素子の特性値の方が大きいように並べるものである。
【００１８】
これによって、特性値の最も小さいものから最も大きいものまで順に並べられることになり、各隣り合う発光素子の特性値の差が全体として最小となる。このようにして、隣り合う発光素子の特性がほぼ同一になってばらつきが発生しない発光素子の配列方法となる。
【００１９】
請求項５の発明にかかる発光ダイオードの配列装置は、発光ダイオードの必要とする特性値の特性測定を行う特性値測定手段と、特性測定を行った前記発光ダイオードを測定順に番号を付して一時保管する一時保管手段と、前記発光ダイオードの前記特性値を前記発光ダイオードの前記番号と対応させて記憶する特性値記憶手段と、それぞれ隣り合う前記発光ダイオードの前記特性値の差が全体を通じて最も小さくなるように前記発光ダイオードの配列順をコンピュータ上で組み直す配列順算出手段と、該配列順算出手段で組み直された配列順にしたがって、前記一時保管手段から正式の供給手段へ前記発光ダイオードを移動させて配列する移動配列手段とを具備するものである。
【００２０】
このように、本発明にかかる発光ダイオードの配列装置は、発光ダイオードの特性（光度、順電圧、発光波長等）のうち均一にする必要のある特性値を特性値測定手段で測定して一時保管手段に仮の番号を付して保管する。特性値記憶手段にはこの仮の番号と対応させて発光ダイオードの特性値が記憶されているので、配列順算出手段によってそれぞれ隣り合う発光ダイオードの特性値の差が全体を通じて最も小さくなるように発光ダイオードの配列順が組み直される。この配列順にしたがって、移動配列手段によって一時保管手段から正式の供給手段（テーピング、パレット、シート等）へ発光ダイオードを移動させて配列する。
【００２１】
これによって、客先や次工程において発光ダイオードを使用する際には、供給手段に並べられた順にしたがって使用していけば、特性値がほぼ同一になるように並べられているので、隣り合う発光ダイオードの光り方が均一となり、ばらつくことがない。
【００２２】
このようにして、隣り合う発光ダイオードの特性がほぼ同一になってばらつきが発生しない発光ダイオードの配列装置となる。
【００２３】
請求項６の発明にかかる発光ダイオードの配列装置は、請求項５の構成において、一方の発光ダイオードの特性値より他方の発光ダイオードの特性値の方が大きいように並べるものである。
【００２４】
これによって、特性値の最も小さいものから最も大きいものまで順に並べられることになり、各隣り合う発光ダイオードの特性値の差が全体として最小となる。このようにして、隣り合う発光ダイオードの特性がほぼ同一になってばらつきが発生しない発光ダイオードの配列装置となる。
【００２５】
請求項７の発明にかかる発光素子の配列装置は、発光素子の必要とする特性値の特性測定を行う特性値測定手段と、特性測定を行った前記発光素子を測定順に番号を付して一時保管する一時保管手段と、前記発光素子の前記特性値を前記発光素子の前記番号と対応させて記憶する特性値記憶手段と、それぞれ隣り合う前記発光素子の前記特性値の差が全体を通じて最も小さくなるように前記発光素子の配列順を組み直す配列順算出手段と、該配列順算出手段で組み直された配列順にしたがって、前記一時保管手段から正式の供給手段へ前記発光素子を移動させて配列する移動配列手段とを具備するものである。
【００２６】
このように、本発明にかかる発光素子の配列装置は、発光素子の特性（光度、順電圧、発光波長等）のうち均一にする必要のある特性値を特性値測定手段で測定して一時保管手段に仮の番号を付して保管する。特性値記憶手段にはこの仮の番号と対応させて発光素子の特性値が記憶されているので、配列順算出手段によってそれぞれ隣り合う発光素子の特性値の差が全体を通じて最も小さくなるように発光素子の配列順が組み直される。この配列順にしたがって、移動配列手段によって一時保管手段から正式の供給手段（テーピング、パレット、シート等）へ発光素子を移動させて配列する。
【００２７】
これによって、客先や次工程において発光素子を使用する際には、供給手段に並べられた順にしたがって使用していけば、特性値がほぼ同一になるように並べられているので、隣り合う発光素子の光り方が均一となり、ばらつくことがない。
【００２８】
このようにして、隣り合う発光素子の特性がほぼ同一になってばらつきが発生しない発光素子の配列装置となる。
【００２９】
請求項８の発明にかかる発光素子の配列装置は、請求項７の構成において、一方の発光素子の特性値より他方の発光素子の特性値の方が大きいように並べるものである。
【００３０】
これによって、特性値の最も小さいものから最も大きいものまで順に並べられることになり、各隣り合う発光素子の特性値の差が全体として最小となる。このようにして、隣り合う発光素子の特性がほぼ同一になってばらつきが発生しない発光素子の配列装置となる。
【００３１】
【発明の実施の形態】
以下、本発明の実施の形態について図面を参照して説明する。
【００３２】
実施の形態１
まず、本発明の実施の形態１について、図１を参照して説明する。図１は本発明の実施の形態１にかかる発光ダイオードの配列方法を示す正面図である。
【００３３】
完成したＬＥＤ１ａ，１ｂ，１ｃ，１ｄ，……は、特性検査装置によって光度、順電圧、色度等の特性検査がされる。そして、一時的保管場所に順に並べられる。ＬＥＤが必要数揃ったならば、隣り合うＬＥＤの光度がほぼ同一になるように並べ替えを行う。即ち、コンピュータ内に記憶されている各ＬＥＤの光度の値から、一定のアルゴリズムにしたがってソートを行い、隣り合ったＬＥＤの光度の値が殆ど同じになるようにする。
【００３４】
例えば、図１に示されるＬＥＤ１ｂの光度が１００ｍｃｄ、ＬＥＤ１ｃの光度が１０１ｍｃｄであったならば、この２つのＬＥＤが隣り合うようにコンピュータのメモリ内で並べ替えをする。全てのＬＥＤの配列が決まったならば、その配列にしたがって図１に示されるようにテーピングを行って、実際にＬＥＤを並べていく。こうしてテーピングされたＬＥＤの各光度は、ＬＥＤ１ａが１０１．５ｍｃｄ、ＬＥＤ１ｂが１００ｍｃｄ、ＬＥＤ１ｃが１０１ｍｃｄ、ＬＥＤ１ｄが１０１．８ｍｃｄ、……というように、隣り合ったＬＥＤの光度差が例えば１．５ｍｃｄ以内に収められている。したがって、こうしてテーピングされたＬＥＤを客先に供給すれば、端のＬＥＤ１ａから順番にディスプレイ等に並べていくだけで隣り合うＬＥＤの光度がほぼ同一になり、ばらつくことがない。
【００３５】
光度だけでなく、順電圧、色度（発光波長）等についても同様な方法で配列することによってばらつきを防ぐことができる。
【００３６】
このようにして、本実施の形態１の発光ダイオードの配列方法によれば、隣り合うＬＥＤの特性がほぼ同一になってばらつきが発生しない。
【００３７】
なお、要求される特性（例えば、光度）についてランク分けを行い、同一ランク内で特性検査された順に▲１▼，▲２▼，▲３▼，▲４▼，▲５▼，▲６▼，……と仮の番号を付して一時的保管場所に順に並べ、同一ランクのＬＥＤが必要数揃ったならば、隣り合うＬＥＤの光度がほぼ同一になるように並べ替えを行うという配列方法をとっても良い。
【００３８】
実施の形態２
次に、本発明の実施の形態２について、図２を参照して説明する。図２は本発明の実施の形態２にかかる発光素子の配列方法を示す平面図である。
【００３９】
完成した発光素子（ＬＥＤチップ）８ａ，８ｂ，８ｃ，８ｄ，……は、特性検査装置によって光度、順電圧、色度等の特性検査がされる。そして、一時的パレットに順に並べられる。発光素子が必要数揃ったならば、隣り合う発光素子の光度がほぼ同一になるように並べ替えを行う。即ち、コンピュータ内に記憶されている各発光素子の光度の値から、一定のアルゴリズムにしたがってソートを行い、隣り合った発光素子の光度の値が殆ど同じになるようにする。
【００４０】
そして、決定した配列にしたがって正式のパレット６の凹部７に、順に発光素子８ａ，発光素子８ｂ，発光素子８ｃ，発光素子８ｄ，……と収容していく。使用するときには、矢印の方向にしたがって、発光素子８ａ，８ｂ，８ｃ，８ｄ，……と配列順に使用していき、１段目が終わったら２段目の先頭から続けて使用していく。このようにすれば、隣り合う発光素子の光度がほぼ同一になるため、光度がばらつくことがない。
【００４１】
光度だけでなく、順電圧、色度（発光波長）等についても同様な方法で配列することによってばらつきを防ぐことができる。
【００４２】
このようにして、本実施の形態２の発光素子の配列方法によれば、隣り合う発光素子の特性がほぼ同一になってばらつきが発生しない。
【００４３】
なお、要求される特性（例えば、光度）についてランク分けを行い、同一ランク内で特性検査された順に▲１▼，▲２▼，▲３▼，▲４▼，▲５▼，▲６▼，……と仮の番号を付して一時的保管場所に順に並べ、同一ランクの発光素子が必要数揃ったならば、隣り合う発光素子の光度がほぼ同一になるように並べ替えを行うという配列方法をとっても良い。
【００４４】
実施の形態３
次に、本発明の実施の形態３について、図３を参照して説明する。図３は本発明の実施の形態３にかかる発光素子の配列装置の全体構成を示す模式図である。
【００４５】
本実施の形態３の発光素子の配列装置２０は、パーツフィーダ２１を備え、このパーツフィーダ２１から発光素子８が供給され、パーツフィーダ２１の供給ライン２２を通って検査用ステージ２３に１個ずつ載置される。そして、検査用ステージ２３に近接して設置された検査用センサ２４で発光素子８の光度を測定する。この検査用センサ２４が特性値測定手段に相当する。
【００４６】
測定の済んだ発光素子８は、仮置き用パレット２５に測定順に仮の番号（１），（２），（３），（４），……を付して順番に並べていく。この仮置き用パレット２５が一時保管手段に相当する。これと並行して、測定された光度のデータ２６が仮の番号（１），（２），（３），（４），……と組にされてコンピュータシステム２７に入力される。
【００４７】
コンピュータシステム２７の中では、隣り合う発光素子８がほぼ同一の光度を有するように、測定された光度のデータ２６を一定のアルゴリズムにしたがって並べなおし、コンピュータシステム２７のメモリ上で仮の番号（１），（２），（３），（４），……が、並べなおされたデータ２６にしたがって再配列される。そして、この再配列されたデータがコンピュータシステム２７からロボット２８に送信されて、仮置き用パレット２５上の発光素子８がテーピング３０の上に配列されていく。このコンピュータシステム２７が、特性値記憶手段及び配列順算出手段に相当する。
【００４８】
ロボット２８はまず仮置き用パレット２５上の仮の番号（４９）の位置の発光素子８を取り出してテーピング３０の先頭（番号１の位置）に載せる。続いて、仮の番号（１０）の位置の発光素子８を取り出してテーピング３０の番号２の位置に載せ、さらに仮の番号（３２）の位置の発光素子８を取り出してテーピング３０の番号３の位置に載せ、……というように次々に配列していく。このロボット２８が移動配列手段に、テーピング３０が正式の供給手段に、それぞれ相当する。
【００４９】
この結果、テーピング３０の番号１，２，３，４，５，……の位置には、仮置き用パレット２５上の仮の番号（４９），（１０），（３２），（２），（５４），……の位置の発光素子８が配列されることになる。これによって、客先や次工程において発光素子８を使用する際には、テーピング３０に並べられた順にしたがって使用していけば、隣り合う発光素子８の光度がほぼ同一になるように並べられているので、隣り合う発光素子８の光り方が均一となり、ばらつくことがない。
【００５０】
このようにして、本実施の形態３の発光素子の配列装置２０によれば、隣り合う発光素子８の光度がほぼ同一になってばらつきが発生しない。本実施の形態３においては、発光素子の配列装置２０について説明したが、ほぼ同様の構成で発光ダイオードの配列装置を製作することができ、同様の作用効果が得られる。
【００５１】
なお、要求される特性（例えば、光度）についてランク分けを行い、同一ランク内で特性検査された順に▲１▼，▲２▼，▲３▼，▲４▼，▲５▼，▲６▼，……と仮の番号を付して一時的保管場所に順に並べ、同一ランクの発光素子が必要数揃ったならば、隣り合う発光素子の光度がほぼ同一になるように並べ替えを行うという配列装置としても良い。
【００５２】
また、本実施の形態３においては、パーツフィーダ２１によって発光素子８を供給しているが、これに限られずテーピングされたものでも良いし、作業者によって手作業で供給しても良い。また、客先あるいは次工程への供給手段としては、テーピング３０に限られず、パレット、シート等を用いることもできる。
【００５３】
発光ダイオード及び発光素子の配列方法のその他の工程、及び発光ダイオード及び発光素子の配列装置のその他の部分の構成、形状、数量、材質、大きさ、接続関係等についても、上記各実施の形態に限定されるものではない。
【００５４】
【発明の効果】
以上説明したように、請求項１の発明にかかる発光ダイオードの配列方法は、発光ダイオードの必要とする特性値の特性測定を行って測定された特性値を各発光ダイオードごとに記憶する工程と、前記特性値を記憶した発光ダイオードを一時的に保管する工程と、必要数の発光ダイオードがそろった時点で隣り合う発光ダイオードごとに前記要求される特性値がほぼ同一となるように前記必要数の発光ダイオードを配列しなおす工程とを具備するものである。
【００５５】
これによって、光度・順電圧・発光波長等の特性の中で均一にする必要のある特性値について特性測定を行った発光素子の特性値が各発光素子について全て記憶されているので、一時的に保管し、必要数の発光ダイオードがそろった時点で隣り合う発光ダイオードの前記特性値がほぼ同一となるように配列しなおされる。
【００５６】
これによって、客先や次工程において発光ダイオードを使用する際には、配列された順にしたがって使用していけば、特性値がほぼ同一になるように並べられているので、隣り合う発光ダイオードの光り方が均一となり、ばらつくことがない。
【００５７】
このようにして、隣り合う発光ダイオードの特性がほぼ同一になってばらつきが発生しない発光ダイオードの配列方法となる。
【００５８】
請求項２の発明にかかる発光ダイオードの配列方法は、請求項１の構成において、一方の発光ダイオードの特性値より他方の発光ダイオードの特性値の方が大きいように並べるものである。
【００５９】
これによって、特性値の最も小さいものから最も大きいものまで順に並べられることになり、各隣り合う発光ダイオードの特性値の差が全体として最小となる。このようにして、隣り合う発光ダイオードの特性がほぼ同一になってばらつきが発生しない発光ダイオードの配列方法となる。
【００６０】
請求項３の発明にかかる発光素子の配列方法は、発光素子の必要とする特性値の特性測定を行って測定された特性値を各発光素子ごとに記憶する工程と、前記特性値を記憶した発光素子を一時的に保管する工程と、必要数の発光素子がそろった時点で隣り合う発光素子ごとに前記要求される特性値がほぼ同一となるように前記必要数の発光素子を配列しなおす工程とを具備するものである。
【００６１】
これによって、光度・順電圧・発光波長等の特性の中で均一にする必要のある特性値について特性測定を行った発光素子の特性値が各発光素子について全て記憶されているので、一時的に保管し、必要数の発光素子がそろった時点で隣り合う発光素子の前記特性値がほぼ同一となるように配列しなおされる。
【００６２】
これによって、客先や次工程において発光素子を使用する際には、配列された順にしたがって使用していけば、特性値がほぼ同一になるように並べられているので、隣り合う発光素子の光り方が均一となり、ばらつくことがない。
【００６３】
このようにして、隣り合う発光素子の特性がほぼ同一になってばらつきが発生しない発光素子の配列方法となる。
【００６４】
請求項４の発明にかかる発光素子の配列方法は、請求項３の構成において、一方の発光素子の特性値より他方の発光素子の特性値の方が大きいように並べるものである。
【００６５】
これによって、特性値の最も小さいものから最も大きいものまで順に並べられることになり、各隣り合う発光素子の特性値の差が全体として最小となる。このようにして、隣り合う発光素子の特性がほぼ同一になってばらつきが発生しない発光素子の配列方法となる。
【００６６】
請求項５の発明にかかる発光ダイオードの配列装置は、発光ダイオードの必要とする特性値の特性測定を行う特性値測定手段と、特性測定を行った前記発光ダイオードを測定順に番号を付して一時保管する一時保管手段と、前記発光ダイオードの前記特性値を前記発光ダイオードの前記番号と対応させて記憶する特性値記憶手段と、それぞれ隣り合う前記発光ダイオードの前記特性値の差が全体を通じて最も小さくなるように前記発光ダイオードの配列順をコンピュータ上で組み直す配列順算出手段と、該配列順算出手段で組み直された配列順にしたがって、前記一時保管手段から正式の供給手段へ前記発光ダイオードを移動させて配列する移動配列手段とを具備するものである。
【００６７】
このように、本発明にかかる発光ダイオードの配列装置は、発光ダイオードの特性（光度、順電圧、発光波長等）のうち均一にする必要のある特性値を特性値測定手段で測定して一時保管手段に仮の番号を付して保管する。特性値記憶手段にはこの仮の番号と対応させて発光ダイオードの特性値が記憶されているので、配列順算出手段によってそれぞれ隣り合う発光ダイオードの特性値の差が全体を通じて最も小さくなるように発光ダイオードの配列順が組み直される。この配列順にしたがって、移動配列手段によって一時保管手段から正式の供給手段（テーピング、パレット、シート等）へ発光ダイオードを移動させて配列する。
【００６８】
これによって、客先や次工程において発光ダイオードを使用する際には、供給手段に並べられた順にしたがって使用していけば、特性値がほぼ同一になるように並べられているので、隣り合う発光ダイオードの光り方が均一となり、ばらつくことがない。
【００６９】
このようにして、隣り合う発光ダイオードの特性がほぼ同一になってばらつきが発生しない発光ダイオードの配列装置となる。
【００７０】
請求項６の発明にかかる発光ダイオードの配列装置は、請求項５の構成において、一方の発光ダイオードの特性値より他方の発光ダイオードの特性値の方が大きいように並べるものである。
【００７１】
これによって、特性値の最も小さいものから最も大きいものまで順に並べられることになり、各隣り合う発光ダイオードの特性値の差が全体として最小となる。このようにして、隣り合う発光ダイオードの特性がほぼ同一になってばらつきが発生しない発光ダイオードの配列装置となる。
【００７２】
請求項７の発明にかかる発光素子の配列装置は、発光素子の必要とする特性値の特性測定を行う特性値測定手段と、特性測定を行った前記発光素子を測定順に番号を付して一時保管する一時保管手段と、前記発光素子の前記特性値を前記発光素子の前記番号と対応させて記憶する特性値記憶手段と、それぞれ隣り合う前記発光素子の前記特性値の差が全体を通じて最も小さくなるように前記発光素子の配列順を組み直す配列順算出手段と、該配列順算出手段で組み直された配列順にしたがって、前記一時保管手段から正式の供給手段へ前記発光素子を移動させて配列する移動配列手段とを具備するものである。
【００７３】
このように、本発明にかかる発光素子の配列装置は、発光素子の特性（光度、順電圧、発光波長等）のうち均一にする必要のある特性値を特性値測定手段で測定して一時保管手段に仮の番号を付して保管する。特性値記憶手段にはこの仮の番号と対応させて発光素子の特性値が記憶されているので、配列順算出手段によってそれぞれ隣り合う発光素子の特性値の差が全体を通じて最も小さくなるように発光素子の配列順が組み直される。この配列順にしたがって、移動配列手段によって一時保管手段から正式の供給手段（テーピング、パレット、シート等）へ発光素子を移動させて配列する。
【００７４】
これによって、客先や次工程において発光素子を使用する際には、供給手段に並べられた順にしたがって使用していけば、特性値がほぼ同一になるように並べられているので、隣り合う発光素子の光り方が均一となり、ばらつくことがない。
【００７５】
このようにして、隣り合う発光素子の特性がほぼ同一になってばらつきが発生しない発光素子の配列装置となる。
【００７６】
請求項８の発明にかかる発光素子の配列装置は、請求項７の構成において、一方の発光素子の特性値より他方の発光素子の特性値の方が大きいように並べるものである。
【００７７】
これによって、特性値の最も小さいものから最も大きいものまで順に並べられることになり、各隣り合う発光素子の特性値の差が全体として最小となる。このようにして、隣り合う発光素子の特性がほぼ同一になってばらつきが発生しない発光素子の配列装置となる。
【図面の簡単な説明】
【図１】図１は本発明の実施の形態１にかかる発光ダイオードの配列方法を示す正面図である。
【図２】図２は本発明の実施の形態２にかかる発光素子の配列方法を示す平面図である。
【図３】図３は本発明の実施の形態３にかかる発光素子の配列装置の全体構成を示す模式図である。
【図４】図４は従来の発光ダイオードの供給方法の一例を示す正面図である。
【図５】図５は従来の発光素子の供給方法の一例を示す平面図である。
【符号の説明】
１ａ，１ｂ，１ｃ，１ｄ　発光ダイオード
８，８ａ，８ｂ，８ｃ，８ｄ　発光素子
２４　特性値測定手段
２５　一時保管手段
２７　特性値記憶手段、配列順算出手段
２８　移動配列手段
３０　正式の供給手段
【図１】
2004047620.tif 000003
【図２】
2004047620.tif 000004
【図３】
2004047620.tif 000005
【図４】
2004047620.tif 000006
【図５】
2004047620.tif 000007